(57)【要約】【課題】潅水チューブの散水孔の目詰まりの防止を簡単にかつ抵コストで行える潅水チューブ用フィルターを提供する。【解決手段】潅水チューブ用フィルターは、配管と潅水チューブとの接続部に、該潅水チューブ内に挿入されるように着脱自在に取り付けられる潅水チューブ用フィルターであって、合成繊維および／または天然繊維からなり、配管側に開口部を有する袋状に形成されている。【選択図】  図１
2004173605.tif 000002
【特許請求の範囲】
【請求項１】
配管と潅水チューブとの接続部に、該潅水チューブ内に挿入されるように着脱自在に取り付けられる潅水チューブ用フィルターであって、
合成繊維および／または天然繊維からなり、配管側に開口部を有する袋状に形成されていることを特徴とする潅水チューブ用フィルター。
【請求項２】
さらに、袋の底部内側に、該袋の長さ方向に沿って延びる紐状部材が設けられていることを特徴とする請求項１記載の潅水チューブ用フィルター。
【請求項３】
袋が、単繊維から形成される、織物または不織布であることを特徴とする請求項１または２記載の潅水チューブ用フィルター。
【請求項４】
袋の目開きが、０．０５ｍｍ以上０．６ｍｍ以下の範囲内であることを特徴とする請求項１〜３のいずれか１項に記載の潅水チューブ用フィルター。
【請求項５】
裏返した状態で、配管と潅水チューブとの接続部に、該潅水チューブ内に挿入されるように着脱自在に取り付けられることを特徴とする請求項１〜４のいずれか１項に記載の潅水チューブ用フィルター。
【請求項６】
さらに、裏返した状態で、袋の底部内側に、該袋の長さ方向に沿って延びる第２の紐状部材が設けられていることを特徴とする請求項１〜５のいずれか１項に記載の潅水チューブ用フィルター。
【発明の詳細な説明】
【０００１】
【発明の属する技術分野】
本発明は、潅水チューブと潅水用配管との間に設けられ、かつ、潅水チューブの内部に設けられている潅水チューブ用フィルターに関するものである。
【０００２】
【従来の技術】
従来より、農業や園芸等において、農作物や、園芸作物等へ潅水する潅水方法としては、例えば、川水や池水、地下水等をポンプで揚水した後、揚水した用水を、塩化ビニル製等の親配管や、ハウス内の分岐配管等を経て、潅水チューブに通水して散水するようになっている。
【０００３】
このとき、川水や池水、地下水等の用水を直接、潅水チューブに供給する場合には、潅水チューブに設けられた散水孔は、非常に小さいため、用水中に含まれる砂や水藻等のゴミが上記散水孔に詰まることとなり、好適に散水することができないという問題があった。
【０００４】
この問題に対しては、上記ポンプで用水した後、ポンプ付近に元フィルターを設けて、上記ゴミを濾過する方法がある。この元フィルターとは、例えば、ディスクフィルターと呼ばれるものであり、円盤型のフィルターを複数枚積層することにより、該円盤型フィルターの間に用水を通過させることにより、該用水に含まれるゴミ等を除去するものである。そして、この元フィルターを設けることにより、用水中に含まれるゴミ等は除去されることとなる。
【０００５】
しかしながら、上記用水中には、ゴミ等の他に、該用水中に溶けている、鉄分や、水垢、または、上記元フィルターを通過する有機微生物等が含まれている。これらによって、例えば、元フィルターを用いて、潅水を行う場合でも、長期間、潅水を行うと、用水中に溶けている鉄分や水垢等が配管に析出することとなる。具体的には、親配管はハウス内の分岐配管の内壁に、用水中の鉄分が酸化してできる酸化鉄や、水垢、有機微生物によって発生するスライム等が被膜を形成することになる。そして、親配管やハウス内の分岐配管の内壁に形成された被膜が、剥離した場合には、該被膜が潅水チューブの散水孔を目詰まりさせることとなる。
【０００６】
そこで、上記問題点を解決するために、種々の方法が提案されており、具体的には、特許文献１、２に開示されている構成、および、点滴チューブを用いる際にインナーフィルターを取り付ける構成が提案されている。
【０００７】
特許文献１、２では、潅水チューブの散水孔が設けられている面に、不織布を設ける構成が開示されている。具体的には、潅水チューブの内壁に上記不織布を設けて、該不織布を通過させてから散水孔に用水を通水するようになっている。
【０００８】
また、上記インナーフィルターを用いる構成では、配管の途中に設けられたバルブの中に、プラスチックで形成されたフィルターを取り付けている。
【０００９】
【特許文献１】
実開昭５５−１１９１１４号公報（公開日；１９８０年８月２３日）
【００１０】
【特許文献２】
実開昭５５−１１９１１５号公報（公開日；１９８０年８月２３日）
【００１１】
【発明が解決しようとする課題】
しかしながら、上記従来の構成では、潅水チューブの散水孔の目詰まりを防ぐことが簡単にできない問題点がある。
【００１２】
具体的には、上記特許文献１、２に開示されている構成では、潅水チューブと不織布とが一体に構成されているため、例えば、不織布によって被膜がろ過されて、該不織布に被膜等のゴミが溜まった場合でも、不織布のみを交換することができない。従って、上記不織布にゴミ等が溜まった場合には、潅水チューブ自体を変えなくてはならない。また、潅水チューブの散水孔の目詰まりを防ぐためには、コストがかかるという問題がある。
【００１３】
また、インナーフィルターを用いる構成では、インナーフィルターは、プラスチックを射出成型することによって製造されている。そのため、ゴミを濾過するために設けられた開口部（目開き）の大きさを、例えば、０．１ｍｍ等の大きさにすることは非常に困難であり、該開口部の大きさは比較的大きくなってしまう。従って、上記インナーフィルターの開口部の大きさよりも小さいなゴミについては該フィルターで捕集することができず、捕集できなかったゴミが潅水チューブの散水孔の目詰まりを招来することとなる。また、上記インナーフィルターは、射出成型により製造されているため、定められた規格しか作ることができない。従って、例えば、用いる用水の水質等によって、フィルターの大きさを大きくするということができない。さらに、上記インナーフィルターにゴミが詰まった場合には、ゴミを除去した後、フィルターを再び元の場所に設置する必要があるが、該フィルターの掃除には多大な労力が必要であるとともに、上記開口部に詰まったゴミを完全に除去することは非常に困難である。従って、上記開口部にゴミの詰まったフィルターは、再使用が不可能である。このように、インナーフィルターを用いる構成では、フィルターの目開きを小さくすることができないので、簡単に、潅水チューブの散水孔の目詰まりを防ぐことができない。また、上記インナーフィルターは、プラスチックの射出成型品なので、コストがかかるという問題点がある。
【００１４】
本発明は、上記従来の問題に鑑みなされたものであり、その目的は、脱着が容易であり、従来と比べて、より簡単かつコストをかけることなく、潅水チューブの散水孔の目詰まりを防ぐことができる潅水チューブ用フィルターを提供することにある。
【００１５】
【課題を解決するための手段】
本発明にかかる潅水チューブ用フィルター（フィルター）は、上記の課題を解決するために、配管と潅水チューブとの接続部に、該潅水チューブ内に挿入されるように着脱自在に取り付けられる潅水チューブ用フィルターであって、合成繊維および／または天然繊維からなり、配管側に開口部を有する袋状に形成されていることを特徴としている。
【００１６】
上記の構成によれば、本発明の潅水チューブ用フィルターは、合成繊維および／または天然繊維から構成されているので、上記フィルターの目開きを、例えば、従来のインナーフィルターと比べて、非常に細かくすることができる。これにより、より細かいゴミを確実に捕集することができる。
【００１７】
また、本発明の潅水チューブ用フィルター（フィルター）は、配管と潅水チューブとの接続部に、該潅水チューブ内に挿入されるように着脱自在に取り付けられている。従って、例えば、上記フィルターにゴミが溜まった場合、上記フィルターを取り出してゴミを除去することが可能である。また、フィルターのみを交換することも可能である。従って、ゴミが溜まった場合に、従来の潅水チューブと不織布とが一体に形成されている構成と比べて、上記フィルターの散水孔の目詰まりの防止を簡単かつ低コストで行うことができる。また、上記フィルターは、袋状に形成されており、面積ろ過が可能であるので、長期間の使用が可能となる。
【００１８】
さらに、本発明にかかる潅水チューブ用フィルターは、合成繊維および／または天然繊維から構成されているので、フィルターの形状を簡単に変えることができる。このため、例えば、フィルター内に溜まったゴミを除去する際には、該フィルターを裏返すことにより、簡単にゴミを除去することができる。
【００１９】
本発明の潅水チューブ用フィルターは、さらに、袋の底部内側に、該袋の長さ方向に沿って延びる紐状部材が設けられている構成とすることがより好ましい。
【００２０】
上記の構成によれば、紐状部材が取り付けられていることにより、例えば、上記フィルターを裏返して使用する際、該フィルターに取り付けられた紐状部材を引っ張ることにより、該フィルターを容易に裏返すことができる。具体的には、紐状部材は、袋の底部内側に一端が固定されており、袋の底部から該袋の開口部の方向に延びるように設けられているので、フィルターの開口部付近を押さえて、上記紐状部材を引っ張ることにより、簡単にフィルターを裏返すことができる。これにより、より簡単にフィルターに付着したゴミを除去することができる。
【００２１】
本発明の潅水チューブ用フィルターは、袋が、単繊維から形成される織物である構成とすることがより好ましい。
【００２２】
上記の構成によれば、上記袋は、単繊維から形成される織物によって構成されている。これにより、繊維の中にゴミが入り込むことがないので、フィルターに付着したゴミの除去をより簡単に行うことができる。従って、フィルターに付着したゴミをほぼ完全に除去することができるので、例えば、上記フィルターを裏返した状態で使用することができるとともに、繰り返し使用することができる。
【００２３】
本発明の潅水チューブ用フィルターは、袋の目開きが、０．０５ｍｍ以上０．６ｍｍ以下の範囲内である構成とすることがより好ましい。
【００２４】
上記の構成によれば、袋の目開きを上記範囲内にすることによって、配管側から流れてくるゴミをより確実に捕集することができる。
【００２５】
本発明の潅水チューブ用フィルターは、裏返した状態で、配管と潅水チューブとの接続部に、該潅水チューブ内に挿入されるように着脱自在に取り付けられる構成とすることがより好ましい。
【００２６】
上記の構成によれば、裏返した状態での使用が可能となるので、もとの状態に戻さなくても使用することができるので、手間がかからない。
【００２７】
本発明の潅水チューブ用フィルターは、さらに、裏返した状態で、袋の底部内側に、該袋の長さ方向に沿って延びる第２の紐状部材が設けられている構成とすることがより好ましい。
【００２８】
上記の構成によれば、第２の紐状部材が設けられていることにより、裏返した状態から元の状態へより簡単に戻すことができる。
【００２９】
【発明の実施の形態】
〔実施の形態１〕
本発明の実施の一形態について図１ないし図４に基づいて説明すれば、以下の通りである。
【００３０】
本実施の形態にかかる潅水チューブ用フィルター（以下、単にフィルターと称する）１は、図１、２および３に示すように、配管と潅水チューブとの接続部に、該潅水チューブ内に挿入されるように着脱自在に取り付けられる潅水チューブ用フィルターであって、合成繊維および／または天然繊維からなり、配管側に開口部を有する袋状に形成されている構成である。また、本実施の形態にかかるフィルター１には、引っ張り糸（紐状部材）１０が取り付けられている構成である。この引っ張り糸１０については後述する。
【００３１】
本実施の形態にかかるフィルター１は、合成繊維および／または天然繊維から構成されている。上記合成繊維を形成するための材料としては、具体的には、例えば、ナイロン等のポリアミド系高分子化合物、ポリエステル、ポリエチレン、ポリプロピレンおよびビニロン等のポリビニルアルコール系合成繊維等が挙げられる。上記合成繊維を形成する材料は、１種類のみを用いてもよく、また、２種類以上を併用してもよい。上記合成繊維を形成する材料のうち、縫製が容易という点で、ポリエチレンがより好ましい。
【００３２】
また、天然繊維を形成するための材料としては、具体的には、例えば、綿、絹および麻等が挙げられる。上記天然繊維を形成する材料は、１種類のみを用いてもよく、また、２種類以上を併用してもよい。また、本実施の形態にかかるフィルター１は、合成繊維と天然繊維とが組み合わされて構成されていてもよい。
【００３３】
本実施の形態にかかるフィルター１は、上記合成繊維および／または天然繊維を袋状に形成することにより得られる。具体的には、合成繊維および／または天然繊維が、不織布または織物（メッシュクロス）の形態で、袋状に構成されている。上記織物とは、経糸と緯糸とを組合わせて織られた布状のもの、つまり、複数の経糸と複数の緯糸とを互い違いに交差させることにより得られるものを示す。上記フィルター１が織物の形態で構成されている場合、合成繊維および／または天然繊維は、１本の経糸および緯糸が単繊維で構成されていることがより好ましい。
【００３４】
また、上記フィルター１が織物から構成されている場合、経糸と緯糸との交差部は、接着されていることがより好ましい。経糸と緯糸との交差部を接着することにより、フィルター１の目開きを防止することができる。つまり、フィルター１が織物から構成されている場合、該フィルター１の目開きは、織物の目開きによって決定される。従って、織物の目開きを一定にすることにより、該フィルター１は、一定のろ過能力を保持することができる。上記交差部を接着する方法としては、例えば、上記織物が合成繊維で形成されている場合には、例えば熱融着処理等が挙げられる。
【００３５】
上記フィルター１の目開きの下限値としては、０．０５ｍｍ以上がより好ましく、０．１５ｍｍ以上がさらに好ましい。上記目開きの下限値が０．０５ｍｍよりも小さい場合には、フィルター１を通過する用水が好適に流れない場合がある。一方、上記フィルター１の目開きの上限値としては、０．６ｍｍ以下がより好ましく、０．２５ｍｍ以下がさらに好ましい。上記目開きの上限値が０．６ｍｍよりも大きい場合には、配管側から流れてきた、該配管２に形成した被膜を確実に捕集することができない場合がある。なお、上記目開きは、潅水チューブ３内を通過する用水の水質や、元フィルターを用いる場合、該元フィルターのろ過能力等を考慮して、上記範囲内に設定すればよい。
【００３６】
上記フィルター１の容量について説明する。上記フィルター１の開口部（袋状の開口部）の直径としては、用いる潅水チューブ３の内径と同じ程度であればよく、具体的には、１５〜４０ｍｍの範囲内が好適である。また、上記フィルター１の開口部の直径は、親配管２や分岐配管２等の、配管２の開口部の外形と同じ程度であることが好適である。
【００３７】
上記フィルター１の長さとしては、用水を流す配管２の長さや、該フィルター１を通過させる用水の水質等にもよるが、例えば、１００ｍｍ〜１０００ｍｍの範囲内が好適である。例えば、フィルター１を通過する用水の水質がよい、換言すると、該用水中に含まれる鉄分や有機微生物の量が少ない場合には、配管２内に形成する被膜の量が比較的少ないので、フィルター１の長さは比較的短くてもよい。また、例えば、用水の主水源から潅水チューブ３までの長さが長い場合、つまり、用水が流れる配管２の長さが長い場合には、該配管２内に形成する被膜の量も比較的多くなるので、上記フィルター１の長さを比較的長く設定する必要がある。
【００３８】
また、上記フィルター１は、袋状に形成されているが、袋の開口部、すなわち、フィルター１の開口部の直径と、袋の底部側における袋の直径とでは、底部側のほうが、直径が小さくなっていることがより好ましい。また、開口部の直径が最も大きいことがさらに好ましい。換言すると、上記フィルター１の形状としては、開口部から底部側に向かって先細りになっている形（紡錘形）になっていることがより好ましい。
【００３９】
このようなフィルター１を製造する方法としては、例えば、上記合成繊維および／または天然繊維からなる、不織布または織物のシートを、２つ折りにした後、開口部を形成するように、該不織布または織物を縫製して袋状に形成する方法がある。上記不織布または織物を縫製する際、縫製する部分を変更することにより、最終的に得られるフィルター１の形状を容易に変更することができる。
【００４０】
また、例えば、最初から縫い目のない、すなわち、シームレス加工の、合成繊維および／または天然繊維からなる不織布または織物の袋を用いてフィルター１を形成してもよい。
【００４１】
不織布または織物のシートでフィルター１を形成する場合には、たとえば、接着剤等を用いて、該シートの一部を接着することにより、フィルター１を形成してもよいし、また、上記合成繊維でフィルター１を形成する場合には、例えば、熱融着により、不織布または織物のシートの一部を接着することによりフィルター１を形成してもよい。
【００４２】
具体的には、例えば、不織布または織物のシートを２つ折りにした後、折り目が形成されている辺と対向する辺、および、折り目が形成されている辺と直交する辺の一方とを、縫製することにより、フィルター１を製造してもよい。また、不織布または織物のシートを２つ折りにした後、折り目が形成されている辺と直交する２つの辺を縫製してもよい。
【００４３】
さらに、例えば、不織布および／または織物のシートを複数枚重ねてフィルター１を形成してもよい。具体的には、２重になるようにフィルター１を形成してもよい。また、例えば、内側に織物で形成されたフィルター１を配置して、外側に不織布で形成されたフィルター１を配置する、またはその逆の構成のような２層のフィルター１としてもよい。
【００４４】
本実施の形態にかかるフィルター１は、該フィルター１を裏返しにした場合でも使用することができることがより好ましい。このようにフィルター１を裏返しにすることで、該フィルター１についた被膜等のゴミをより簡単に除去することができ、再利用することが可能となる。つまり、上記フィルター１を配管２に装着して、配管２から流れてくる、該配管２の内面に形成された被膜等を捕集した後、上記フィルター１を取り出して、フィルター１についた上記ゴミを除去した後、そのまま再び配管２に取り付けることで、ゴミを除去するために裏返したフィルター１を再び裏返す（元の状態に戻す）ことなく、使用することができる。
【００４５】
そして、本実施の形態では、図１、２に示すように、上記フィルター１の裏返しをより簡単に行うことができるように、該フィルター１には、引っ張り糸１０が取り付けられている。この引っ張り糸１０は、上記袋状のフィルター１の底部内側に一端が固定されており、そして、袋の内部を通って上記袋の開口部から外に伸びている。換言すると、該引っ張り糸１０は、該フィルター１を形成する袋の長さ方向に沿って延びるとともに、該フィルター１の底部に固定されている。上記袋の長さ方向とは、袋（フィルター１）の底部から開口部へ延びる方向を示す。この引っ張り糸１０の長さとしては、フィルター１の底部に固定されている点を中心として、上記袋の長さ方向に、フィルター１の全長よりも長くなっていることがより好ましい。そして、上記フィルター１を裏返す際には、該フィルター１の開口部を押さえて、上記フィルターの底部内側から開口部の方向に延びた引っ張り糸１０を引っ張ることにより、簡単にフィルター１を裏返すことができる。
【００４６】
なお、上記フィルターには、上記に加えて、袋の底部外側に固定されている別の引っ張り糸（第２の紐状部材）が設けられていてもよい。この別の引っ張り糸を設けることにより、上記フィルター１を裏返したとき、より簡単に元の状態にも戻す（再び裏返す）ことができる。従って、本実施の形態においては、引っ張り糸１０は、袋の底部に固定されているとともに、該袋を貫通するように設けられていることがより好ましい。そして、このとき、上記引っ張り糸１０の長さとしては、固定されている点から、袋の長さ方向およびその反対方向に、上記フィルター１の全長よりも長いことがより好ましい。
【００４７】
また、上記フィルター１は、裏返した状態でも使用することができることがより好ましい。このため、フィルター１としては、単繊維からなる織物で構成されていることがより好ましい。該フィルター１を単繊維からなる織物で構成した場合、該フィルター１を使用した後でも、フィルター１の目開きは一定であるので、ゴミの除去をほぼ完全に行うことができ、フィルター１の再利用が可能である。
【００４８】
上記フィルター１は、配管２と潅水チューブ３との接続部に、該潅水チューブ３内に挿入されるように着脱自在に取り付けられることとなる。具体的には、図３に示すように、配管２の開口部（接続部）に上記フィルター１を取り付けた後、該フィルター１が取り付けられた開口部に、上記潅水チューブ３を装着すればよい。従って、上記フィルター１は、該フィルター１の開口部（接続部）が、配管２とフィルター１との間に挟まれ、かつ、潅水チューブ３に覆われる、すなわち、潅水チューブ３の内部に配置されることとなる。そして、上記フィルター１は、配管側に開口部を有するようになっている。つまり、配管側から流れてきた用水は、該フィルターの目開きを通って潅水チューブ３に流れることとなり、用水中に含まれるゴミは、フィルター１の内側、すなわち、袋の内側に捕集させることとなる。
【００４９】
このとき、配管２の開口部、すなわち、該配管２と潅水チューブ３との結合部は、潅水チューブ３と上記フィルター１とが、配管２から外れないように上記潅水チューブ３とフィルター１とを固定するようになっている必要がある。上記フィルター１を固定する方法としては、例えば、潅水チューブ３の配管２と結合する開口部と、上記配管２の潅水チューブ３と結合する開口部と、それぞれ、互いに螺合するねじを設けておき、互いのねじの間に該フィルター１を挟んでねじで固定する方法等がある。また、例えば、図４に示すように、配管２の開口部に、潅水チューブ３とフィルター１とを固定する固定部材２０を設けておき、該固定部材２０と配管２との間に潅水チューブ３およびフィルター１を挟むことにより固定してもよい。
【００５０】
上記フィルター１を配置する際、例えば、複数のフィルター１を配管２と潅水チューブ３との接続部に配置してもよい。
【００５１】
以上のように、本実施の形態にかかるフィルター１は、合成繊維および／または天然繊維からなり、配管側に開口部を有する袋状に形成されている構成である。これにより、上記フィルター１の目開きを、例えば、従来のインナーフィルターと比べて、非常に細かくすることができる。これにより、より細かいゴミを確実に捕集することができる。また、上記フィルター１は、着脱自在に配管２と潅水チューブ３との間、かつ、潅水チューブ３の内側に設けられているので、例えば、上記フィルター１にゴミが溜まった場合、上記フィルター１を取り出してゴミを除去することが可能である。また、フィルター１のみを交換することも可能である。従って、ゴミが溜まった場合に、従来の潅水チューブ３と不織布とが一体に形成されている構成と比べて、上記フィルター１の散水孔の目詰まりを防止するためにかかるコストを低く抑えることができる。
【００５２】
さらに、本発明にかかる潅水チューブ３用フィルター１は、合成繊維および／または天然繊維から構成されているので、フィルター１の形状を簡単に変えることができる。このため、例えば、フィルター１内に溜まったゴミを除去する際には、該フィルター１を裏返すことにより、簡単にゴミを除去することができる。
【００５３】
なお、上記の説明では、フィルター１に引っ張り糸１０が取り付けられている構成について説明したが、本発明にかかるフィルター１には、必ずしも該引っ張り糸１０が取り付けられていなくてもよい。例えば、上記フィルター１を使い捨てにする、すなわち、１回の使用により該フィルター１を新しいフィルター１に取り替える場合には、該引っ張り糸１０を取り付ける必要はない。
【００５４】
また、本実施の形態にかかるフィルター１には、該フィルター１の開口部を配管２にしっかりと固定するために、例えば、開口部を金属やプラスチック、ゴム等の固定部材を用いて強化してもよい。また、例えば、フィルター１の開口部を折り返して縫製することによっても、開口部を強化することもできる。
【００５５】
また、例えば、該フィルター１の形状を安定させるために、例えば、金属やプラスチック等の骨格部材が取り付けられていてもよい。具体的には、例えば、上記フィルター１に用水を通水させたときにできる形状とほぼ同じ形状になるように、針金やプラスチック等で紡錘形状の骨格部材を形成して、この骨格部材の内側に上記フィルター１を配置する。これにより、例えば、フィルター１内にゴミが溜まって、該フィルター１が用水の通水方向に強く引っ張られることにより、上記フィルター１がちぎれることを防止することができる。
【００５６】
また、本実施の形態にかかるフィルター１の場合には、使用する環境によって、フィルター１の大きさを簡単に変更することができる。例えば、従来のインナーフィルターの場合には、該インナーフィルターはプラスチックの射出成型品であるため、インナーフィルターおよびインナーフィルターを設置する場所の形状が一定であり、インナーフィルターの形状および大きさを変更することが困難であるが、本実施の形態にかかるフィルター１は、開口部の直径が同じであれば、長さの異なるフィルター１を使用することが可能である。従って、上記フィルター１は、例えば、その長さを長くすることにより、ゴミ捕集能力を大きくすることができるので、元フィルターを設置しない場合でも、好適に使用することができる。また、上記フィルター１の大きさを大きくすることで、長期間、ゴミの除去を行わない場合でも好適に使用することができる。従って、例えば、１つの農作物や園芸作物を育てる期間の間、フィルター１を使用し続けることが可能になる。
【００５７】
また、本実施の形態にかかるフィルター１は、合成繊維および／または天然繊維から構成されているので、該フィルター１自体の大きさを変えるおよびフィルター１の目開きを変えることが容易である。従って、例えば、用水中に鉄分や、有機微生物が多く含まれている用水を散水する場合には、該フィルター１の目開きが小さく、かつ、大きさの大きいものを用いることにより好適にゴミを捕集することができる。つまり、フィルター１を、環境に応じて設計することが簡単にできる。
【００５８】
また、本実施の形態にかかるフィルター１は、従来と比べて、より簡単な構成であるので、例えば、従来のプラスチックを射出成型することにより製造されるインナーフィルターに比べて、格段にその製造コストが安い。
【００５９】
また、上記フィルター１は、裏返した状態で使用可能であることがより好ましい。本実施の形態では、引っ張り糸１０を用いて、フィルター１を裏返して、ゴミを除去するようになっている。そして、上記フィルター１を裏返した状態で使用可能である場合には、上記裏返した状態のフィルター１を再び裏返す必要がないので、手間を省くことができる。
【００６０】
また、本実施の形態にかかるフィルター１は、合成繊維および／または天然繊維のメッシュクロスもしくは不織布からなっており、通常時は扁平（シート状）であり、通水時には筒状となり用水中のゴミを捕集するようになっていてもよい。そして、潅水チューブ３の入り口の内部に装着して、該潅水チューブ３と一緒に専用に継手を用いて、配管２に固定するようになっていてもよい。これにより、上記フィルター１に捕集されたゴミを除去するときに、脱着が容易にできるので、フィルター１の掃除が簡単である。
【００６１】
【発明の効果】
本発明にかかる潅水チューブ用フィルターは、以上のように、配管と潅水チューブとの接続部に、該潅水チューブ内に挿入されるように着脱自在に取り付けられる潅水チューブ用フィルターであって、合成繊維および／または天然繊維からなり、配管側に開口部を有する袋状に形成されている構成である。
【００６２】
それゆえ、上記フィルターの目開きを、例えば、従来のインナーフィルターと比べて、非常に細かくすることができるので、より細かいゴミを確実に捕集することができるという効果を奏する。
【００６３】
また、従来の潅水チューブと不織布とが一体に形成されている構成と比べて、上記フィルターの散水孔の目詰まりの防止を簡単に行うことができるとともに、コストを低く抑えることができるという効果を併せて奏する。
【００６４】
本発明の潅水チューブ用フィルターは、さらに、袋の底部内側に、該袋の長さ方向に沿って延びる紐状部材が設けられている構成とすることにより、簡単にフィルターを裏返すことができるので、簡単に該フィルターに付着したゴミを除去することができる。
【００６５】
本発明の潅水チューブ用フィルターは、袋が、単繊維から形成される織物である構成とすることにより、フィルターに付着したゴミをほぼ完全に除去することができるとともに、繰り返し使用することができる。
【００６６】
本発明の潅水チューブ用フィルターは、袋の目開きが、０．０５ｍｍ以上０．６ｍｍ以下の範囲内である構成とすることにより、配管側から流れてくるゴミをより確実に捕集することができる。
【００６７】
本発明の潅水チューブ用フィルターは、裏返した状態で、配管と潅水チューブとの接続部に、該潅水チューブ内に挿入されるように着脱自在に取り付けられる構成とすることにより、もとの状態に戻さなくても使用することができるので、手間がかからない。
【００６８】
本発明の潅水チューブ用フィルターは、さらに、裏返した状態で、袋の底部内側に、該袋の長さ方向に沿って延びる第２の紐状部材が設けられている構成とすることにより、裏返した状態から元の状態へより簡単に戻すことができる。
【図面の簡単な説明】
【図１】本発明の潅水チューブ用フィルターの概略の構成を示す斜視図である。
【図２】上記潅水チューブ用フィルターの側面図である。
【図３】上記潅水チューブ用フィルターを、配管に取り付ける方法を示す正面図である。
【図４】上記潅水チューブ用フィルターが、上記配管と潅水チューブとの間に配置された構成を示す断面図である。
【符号の説明】
１    フィルター（潅水チューブ用フィルター）
２    配管
３    潅水チューブ
１０    引っ張り糸（紐状部材）（第２の紐状部材）
【図１】
2004173605.tif 000003
【図２】
2004173605.tif 000004
【図３】
2004173605.tif 000005
【図４】
2004173605.tif 000006